(57)【特許請求の範囲】
【請求項１】
システムキッチンなどの厨房家具、キャビネット型洗面台、その他床置き用の家具のカウンタートップの直下にスライドレールにより引き出し自在に収納される補助カウンターであって、
この補助カウンターは、引き出されると若干上昇するように家具本体への本体用レールと、補助カウンターの両側の一対のブラケットへの補助カウンター用レールを傾斜配置し、補助カウンター用レールは前端側に軸止し、補助カウンターのカウンター材が家具本体より引き出された状態で補助カウンターの後端側を上昇させる付勢手段を補助カウンター用レールと補助カウンターの間に設けて、補助カウンターのカウンター材がカウンタートップとほぼ面一になるように構成し、さらに、補助カウンターを面一状態のまま収納方向に押し込むと、補助カウンターのブラケットの後端側を支え、補助カウンターが下方に移動することを阻止する移動阻止手段を本体用レール側に設けたことを特徴とする引き出し式補助カウンター。
【請求項２】
請求項１記載の引き出し式補助カウンターであって、
家具本体の側板乃至仕切板に開口に向かって上昇傾斜させベースプレートを取り付け、このベースプレートに下向きにスライドレールの収納スペースを形成するガイドプレートを取り付け、補助カウンターの側面のブラケットの後端側に、ガイドプレートの下縁を摺動及び、上縁に係合するガイドローラーを取り付け、リフトアップ用の圧縮コイルバネをブラケットに設けた受片と補助カウンター用レールに固定したＬ型金具の間に、端部に拡開規制板を備えたシャフトを貫通させて縮装するようにし、補助カウンターを引き出したときにガイドローラーがガイドプレートの下縁から外れ、圧縮コイルバネが拡開し補助カウンターを上昇させ、補助カウンターが家具本体のカウンタートップとほぼ面一になるように構成し、さらに補助カウンターを面一状態のまま押し込むと、ガイドローラーがガイドレールの上縁に嵌まり、補助カウンターの下方への移動を阻止するように構成したことを特徴とする引き出し式補助カウンター。
【発明の詳細な説明】
【０００１】
【発明の属する技術分野】
この発明は、床置き用の家具特にシステムキッチンのような厨房家具に好適な引き出し式補助カウンターに関するものである。
【０００２】
【従来の技術】
従来のシステムキッチンでは長尺のカウンターに水槽及び加熱機器を配置しその間を調理台として用いていた。
長尺のカウンターであっても調理、配膳、後片付けのための食器の洗浄などで厨房機器を前に作業する場合、調理台となるカウンターを活用することになるが、実際は作業台としていくらスペースがあっても足りないものであった。
そこで、キャスターを備えた配膳台を厨房家具の付近に配置して食卓テーブルに運ぶようにするものが提供されているが、ダイニングキッチンが広くないと単なる物置台となって本体の用途である配膳台として用いられることはなかった。
【０００３】
【発明が解決しようとする課題】
従来の厨房家具では、特にＩ型に配置した場合カウンタートップの作業台の広さには限定がある一方、例えばキャスターを備えた配膳台ではカウンターと高さが違うことから使い勝手が悪く、また簡単に移動するものであると食器や調理しかけの鍋や釜を置いておくと何かの拍子に落下すると極めて危険であった。そこで目の届く範囲で近くに同じ高さの補助カウンターを設けてこのような課題を解決しようとするものである。
【０００４】
【課題を解決するための手段】
そこで、この発明は、上述したような従来技術の課題を解決するために鋭意開発したもので、その要旨とするのは、システムキッチンなどの厨房家具、キャビネット型洗面台、その他床置き用の家具のカウンタートップの直下にスライドレールにより引き出し自在に収納される補助カウンターであって、この補助カウンターは、引き出されると若干上昇するように家具本体への本体用レールと、補助カウンターの両側の一対のブラケットへの補助カウンター用レールを傾斜配置し、補助カウンター用レールは前端側に軸止し、補助カウンターのカウンター材が家具本体より引き出された状態で補助カウンターの後端側を上昇させる付勢手段を補助カウンター用レールと補助カウンターの間に設けて、補助カウンターのカウンター材がカウンタートップとほぼ面一になるように構成し、さらに、補助カウンターを面一状態のまま収納方向に押し込むと、補助カウンターのブラケットの後端側を支え、補助カウンターが下方に移動することを阻止する移動阻止手段を本体用レール側に設けたことを特徴とする。
【０００５】
また、前述の引き出し式補助カウンターにおいて、家具本体の側板乃至仕切板に開口に向かって上昇傾斜させベースプレートを取り付け、このベースプレートに下向きにスライドレールの収納スペースを形成するガイドプレートを取り付け、補助カウンターの側面のブラケットの後端側に、ガイドプレートの下縁を摺動及び、上縁に係合するガイドローラーを取り付け、リフトアップ用の圧縮コイルバネをブラケットに設けた受片と補助カウンター用レールに固定したＬ型金具の間に、端部に拡開規制板を備えたシャフトを貫通させて縮装するようにし、補助カウンターを引き出したときにガイドローラーがガイドプレートの下縁から外れ、圧縮コイルバネが拡開し補助カウンターを上昇させ、補助カウンターが家具本体のカウンタートップとほぼ面一になるように構成し、さらに補助カウンターを面一状態のまま押し込むと、ガイドローラーがガイドレールの上縁に嵌まり、補助カウンターの下方への移動を阻止するように構成したことを特徴とするものである。
なお、スライドレールは、必要に応じて三連以上の多連式レールとすることもできる。
このような構成により水槽横、加熱器横など使い易いところに引き出すだけで作業台を一時的に出現させることができ、また不使用時は従来の引き出しと同様にカウンターの下のキャビネット内にすっきり収納できるのである。
さらに、キャビネット型洗面化粧台や床置用の家具であっても一時的にカウンタートップと同一高さの補助カウンターが出現すると仮置台ができるので、極めて便利なものとなる。
【０００６】
【発明の実施の形態】
以下、図面に示す実施例に即してこの発明の内容を説明する。
図８及び図９はこの発明に係る補助カウンターの概略図である。
図８ａはシステムキッチン１のカウンタートップ２の水槽３の左側に補助カウンター５を引き出し自在に設けるようにしたもので、料理の下ごしらえ、食器の洗浄の場合の作業台として用いるようにする。
図８ｂはカウンタートップ２の水槽３と加熱器４の間に補助カウンター５を引き出し自在に設けたものを示し、これは下ごしらえ、食器の洗浄の場合の仮置台、調理の場合の食材の置き台、皿を置いての料理の盛り付けなどに用いることができる。
図９ｃはカウンタートップ２の加熱器４の右側側部に補助カウンター５を引き出し自在に設けたもので、カウンタートップ２とあいまって、調理の場合の食材の置き台、皿を置いての料理の盛り付け、調味料の置き台などとして用いることができる。
【０００７】
これら補助カウンター５は必要に応じて少なくとも一つ、あるいは、水槽３やガスレンジ、ガステーブルなどの加熱器４に隣接して引き出しを配置することができない箇所を除いて複数設けるようにすることもできる（図９ｄ）。
また、厨房家具であっても、アイランド型と称される離れ小島のように台所の中央に配置されるカウンターにこの発明に係る補助カウンター５を備えるようにしたり、水槽や加熱器を備えず部屋の壁面に沿って配置される厨房家具にこの発明に係る補助カウンター５を備えるようにしてもよい。
【０００８】
カウンタートップ２の下に食器洗浄器を配置するようにしたものにあっては、この食器洗浄器に隣接してこの発明に係る補助カウンター５を設けると、洗浄前あるいは洗浄後の食器を短い作業動線で出し入れすることが可能となる。
一時的にスペースが不足がちとなる水槽３や加熱器４の付近にカウンターと直交するように設ければ機能的で作業の能率が上がり、使い勝手が大幅に向上するのである。
【０００９】
図１及び図２に示すように、補助カウンター５自体は、前板６、前板６の背面両側の一対のブラケット７、７及びブラケット７上に載置する矩形をなす人工大理石やステンレス鋼板などを素材とするカウンター材８からなるものである。
カウンター材８の奥の端縁にはカウンタートップ２の前縁に当たる部分にカウンターエスカッション８ａを貼着乃至ネジ止めするようにしてある。
このカウンターエスカッション８ａは、カウンター材８とカウンタートップ２との衝突を衝撃吸収すると共にカウンター材８の木口カバーとなって、この部品を交換することによって様々なカウンタートップ２の前縁形状に対応できるように設けられたものである。
ブラケット７、７は金属板からなるもので、前板６及びカウンター材８に沿う取り付け用の折曲片７ａ、７ｂを備えると共に、折曲片７ａより段差をもって低くした付勢手段としての圧縮コイルバネ１５の受片７ｃを折曲形成するようにしてある。
【００１０】
また、ブラケット７の後端下部には樹脂製のガイドローラー９、９を軸止してあり、このガイドローラー９、９は後述するガイドプレート１２の下縁１２ａを摺動し、短い上縁１２ｂに係合する。補助カウンター５を収納するときは下縁１２ａに嵌まって圧縮コイルバネ１５を縮装し、補助カウンター５を引き出した後には上縁１２ｂに嵌まり補助カウンター５上の荷重を支えることになる。
ガイドローラー９とガイドプレート１２の上縁１２ｂは補助カウンター５の下方への移動阻止手段となる。
さらに、ブラケット７の前板６に近い折曲片７ｂの前端下部には後述するスライドレール１３の補助カウンター用レール１３ｃの前端を軸止し補助カウンター５を回動させる支点となる止め穴７ｄを穿設してある。
【００１１】
システムキッチン１のキャビネットの側板或は仕切板１０には、金属製の矩形のベースプレート１１を開口に向かって若干上昇するようにビスにて取り付けるようにし、このベースプレート１１に添ってガイドプレート１２をビスなどにて取り付ける。このガイドプレート１２はその上端部をベースプレート１１と重ね合わせ下向きの収納スペースを設けるようにＺ形をなし、下縁１２ａ及び前端に形成した切欠による短い上縁１２ｂをガイドローラー９、９のいわばレールとする。収納スペース内にスライドレール１３を収納するように取り付ける。
スライドレール１３は三連一体のもので、本体用レール１３ａはベースプレート１１に固定し、中間レール１３ｂは本体用レール１３ａ内を、補助カウンター用レール１３ｃは中間レール１３ｂ内をそれぞれスライドし引き出し自在となっている。そして、補助カウンター用レール１３ｃは、補助カウンター５の両側のブラケット７、７の前端下部の止め穴７ｄに軸止するようにしてある。
スライドレール１３の補助カウンター用レール１３ｃの軸止箇所は補助カウンター５がリフトアップする場合の支点となる。
【００１２】
スライドレール１３の補助カウンター用レール１３ｃにはＬ型金具１４を固定してスライド自在としブラケット７の受片７ｃと対向するように構成してある。このＬ型金具１４と受片７ｃの間に圧縮コイルバネ１５を介在させてブラケット７を上昇方向に付勢する。
具体的には、Ｌ型金具１４に固定し受片７ｃを貫通し端部に拡開規制板１６をかしめて止めたシャフト１７を通し、ブラケット７の受片７ｃとＬ型金具１４の間でシャフト１７に巻くように圧縮コイルバネ１５を入れてある。
補助カウンター５を引き出すとガイドローラー９、９がガイドプレート１２、１２から外れて圧縮コイルバネ１５が開放されることになる。このときにＬ型金具１４はスライドレール１３の補助カウンター用レール１３ｃに固定されているので補助カウンター５を回転上昇させることになり、拡開規制板１６を備えたシャフト１７の長さにより圧縮コイルバネ１５の開きを規制して補助カウンター５のカウンター材８がカウンタートップ２とほぼ面一になるようにしてある。
【００１３】
このような構成からなる補助カウンター５の作動について図４乃至図７により説明すると次の通りである。
収納状態では図４に示すように、補助カウンター５の前端はスライドレール１３、１３の補助カウンター用レール１３ｃ、１３ｃに支持され、後端ではブラケット７、７に軸止したガイドローラー９、９がガイドプレート１２、１２の下縁１２ａに嵌まって圧縮コイルバネ１５による上昇傾向を押えて、傾斜配置されたベースプレート１１に沿って傾斜保持されることになる。
ここから補助カウンター５の把手を引いて引き出すと、補助カウンター５はスライドレール１３、１３及びガイドローラー９、９とガイドプレート１２、１２により案内されて前方に引き出されることになる（図５）。
そして、ガイドローラー９、９がガイドプレート１２、１２の下縁１２ａから外れると圧縮コイルバネ１５が拡開し、補助カウンター５がスライドレール１３の補助カウンター用レール１３ｃの軸止箇所を支点に回動してシャフト１７の拡開規制板１６まで開き、補助カウンター５のカウンター材８がカウンタートップ２とほぼ面一となる（図６）。この状態では、補助カウンター５のカウンター材８がカウンタートップ２から離れていることになる。そこで、補助カウンター５を面一状態のまま押し込むと、カウンター材８の端縁のカウンターエスカッション８ａがカウンタートップ２の前縁に掛かると共に、ガイドローラー９、９がガイドプレート１２、１２の上縁１２ｂをレールとして押し込まれることになる（図７）。
補助カウンター５の上の荷重は、スライドレール１３、ブラケット７に固定されたガイドローラー９がガイドプレート１２の上縁１２ｂに係合することによりすなわち移動阻止手段により支えられる。
【００１４】
このようにして引き出された補助カウンター５を収納するには、補助カウンター５を更に引き出し、ブラケット７に取り付けられたガイドローラー９がガイドプレート１２の上縁１２ｂから外れるようにし（図６）、圧縮コイルバネ１５に抗して補助カウンター５を上から押してガイドローラー９、９がガイドプレート１２、１２の下縁１２ａに嵌まるようにしてからカウンタートップ２の下に押し込むようにすれば良い（図５）。
【００１５】
なお、これまでの実施例では付勢手段として圧縮コイルバネ１５を用いたものとして説明したが、補助カウンター５が引き出された状態でスライドレール１３を取り付けた補助カウンター５の軸止箇所を支点に上昇させるようにするものであればねじりバネやその他の付勢手段を採用することができる。
上述のように、ガイドローラー９とガイドプレート１２の上縁１２ｂは補助カウンター５の下方への移動阻止手段となるが、ガイドプレート１２の上縁１２ｂはガイドローラー９が入り込めば良いので、上縁ではなく、途中に切欠を形成することにより代替することができる。
【００１６】
補助カウンター５のカウンター材８の下方の空間を有効利用を図るために、図１０に示すように、ブラケット７、７の内側下方にスライドレールを取り付けて収納引き出しとして物品収納可能とすることもできる。
更に、図１１に示すように、ブラケット７、７とカウンター材８を回転可能に蝶番にて連結するようにするなどしてカウンター材８が蓋となりブラケット７、７内側を収納スペースとするようにすることもできる。
【００１７】
【発明の効果】
この発明は以上のような構成からなるもので、床置き用の家具特に、システムキッチンなどの厨房家具などのように一時的にカウンタートップが広いと使い勝手が良くなる家具に採用するのに好適なものである。
そして、補助カウンターのカウンター材が家具本体より引き出された状態で、、付勢手段により補助カウンターの後端側を上昇させ、本体のカウンタートップとほぼ面一とし、その儘水平に収納方向に押し込むことで、隙間を塞ぎ段差が生じないので格別の注意を払うことなく使うことができるのである。
加えて、補助カウンターを押し込むと、補助カウンターの後端側を支え下方への移動を阻止する移動阻止手段を本体レール側に設けたので、補助カウンターが安定して保持されることになる。
【００１８】
さらに、補助カウンターを昇降自在とする構造として、スライドレールの外に本体に、ベースプレート、ガイドプレートを設け、補助カウンターにガイドプレートをレールとするガイドローラーを設けることにより付勢手段に抗して補助カウンターを収納できると共にガイドプレートとガイドローラーがはずれることにより付勢手段を作用させて回動させるようにすることができるのである。
付勢手段は補助カウンターとスライドレールに固定したＬ型金具の間に設け、付勢手段自体も補助カウンターと共にスライドするのであるが、ガイドローラー、ガイドプレートの掛合離脱によって引き出したときのみ作用させることができ全体として極めて簡単な構成となったのである。
【図面の簡単な説明】
【図１】この発明に係る補助カウンターの引き出し状態の斜視図である。
【図２】この発明に係る補助カウンターの収納状態の斜視図である。
【図３】補助カウンターの収納状態の要部断面図である。
【図４】補助カウンターの収納状態の側面図である。
【図５】補助カウンターの引き出し状態の側面図である。
【図６】補助カウンターのリフトアップした状態の側面図である。
【図７】補助カウンターをセットした場合の側面図である。
【図８】ａ、ｂはこの発明に係る補助カウンターを備えたシステムキッチンを示す。
【図９】ｃも同じくこの発明に係る補助カウンターを備えたシステムキッチンを示し、ｄはカウンタートップとの関係における補助カウンターの取付位置及び複数の補助カウンターを設ける場合の例を示す。
【図１０】別の実施例を示す斜視図である。
【図１１】更に別の実施例を示す斜視図である。
【符号の説明】
１  システムキッチン
２  カウンタートップ
３  水槽
４  加熱器
５  補助カウンター
６  前板
７  ブラケット
７ｃ  受片
８  カウンター材
８ａ  カウンターエスカッション
９  ガイドローラー
１０  仕切板
１１  ベースプレート
１２  ガイドプレート
１３  スライドレール
１４  Ｌ型金具
１５  圧縮コイルバネ
１６  拡開規制板
１７  シャフト
【図１】
0003600327.tif 000002
【図２】
0003600327.tif 000003
【図３】
0003600327.tif 000004
【図４】
0003600327.tif 000005
【図５】
0003600327.tif 000006
【図６】
0003600327.tif 000007
【図７】
0003600327.tif 000008
【図８】
0003600327.tif 000009
【図９】
0003600327.tif 000010
【図１０】
0003600327.tif 000011
【図１１】
0003600327.tif 000012